(57)【特許請求の範囲】
【請求項１】
少なくとも２つの周波数帯域を有し、ベースステーションと、いずれかの周波数帯域の周波数でベースステーションと通信することのできる移動ステーションとを備えたセルラー移動電話システムであって、移動ステーションが測定しなければならない周波数に関する情報をネットワークが移動ステーションへ送信し、そして種々の周波数の多数の測定結果を含む測定レポートを移動ステーションがネットワークへ送信するようなセルラー移動電話システムにおいて
上記ネットワークは、現在動作帯域の外側の少なくとも１つの帯域に対して、移動ステーションがその測定レポートにおいて通知すべき周波数測定結果の最少数を指示する数データを移動ステーションに知らせることを特徴とするセルラー移動電話システム。
【請求項２】
上記数データは、その数データに与えられた現在動作帯域の外側の上記少なくとも１つの帯域からの周波数の厳密な数を含むべきであることを通知する請求項１に記載のシステム。
【請求項３】
現在動作帯域の外側の上記少なくとも１つの帯域からの最高の可聴性をもつ周波数について上記数データに与えられた多数の測定結果が上記測定レポートに入れられ、そして
現在動作帯域の最高の可聴性をもつ周波数についての測定結果が上記測定レポートの残りのスペースに入れられる請求項１又は２に記載のシステム。
【請求項４】
現在動作帯域の測定結果が上記残りのスペースより少ない場合には、現在動作帯域の外側の帯域周波数に対する更に多くの測定結果が上記残りのスペースに入れられる請求項３に記載のシステム。
【請求項５】
上記数データは変更できる請求項１に記載のシステム。
【請求項６】
上記数データは、周波数のリストと同じメッセージに与えられる請求項１又は２に記載のシステム。
【請求項７】
上記数データは、分離されたメッセージで与えられる請求項１又は２に記載のシステム。
【請求項８】
接続中に、上記ネットワークは、数データが変更されたメッセージを送信する請求項５に記載のシステム。
【請求項９】
上記システムは、時分割多重アクセス（ＴＤＭＡ）移動電話システムである請求項の前記いずれかに記載のシステム。
【請求項１０】
ＧＳＭ及びＤＣＳの両方の周波数帯域が移動電話システムに使用される請求項９に記載のシステム。
【請求項１１】
上記数データは、ネットワークによい送信されるシステム情報メッセージ（Ｓｙｓｔｅｍ＿Ｉｎｆｏ）の１つに含まれる請求項１０に記載のシステム。
【請求項１２】
上記数データを含むメッセージは、接続に関連した専用の制御チャンネルを経て送信される請求項９に記載のシステム。
【発明の詳細な説明】
発明の分野
本発明は、少なくとも２つの周波数帯域を有するセルラー移動電話ネットワークであって、少なくともある移動ステーションがいずれかの周波数帯域を通信に使用しそしてトラフィックチャンネルに関連した制御チャンネルが専用のものとされて、ネットワークが制御情報を移動ステーションに個々に送信できるようなセルラー移動電話ネットワークに係る。
先行技術の説明
規格によれば、例えば、ＧＳＭ移動通信ネットワークの周波数帯域は、各々が２５ＭＨｚ巾の２つのサブ帯域、即ち移動ステーションからベースステーションへのアップリンク方向の周波数レンジ８９０−９１５ＭＨｚと、ベースステーションから移動ステーションへのダウンリンク方向の９３５−９６０ＭＨｚとを備えている。ＧＳＭネットワークの仕様は引き上げられているが、更に高い周波数の別の帯域も含まれている。これは、７５ＭＨｚのサブ帯域、即ちアップリンク方向に周波数レンジ１７１０−１７８５ＭＨｚと、ダウンリンク方向に１８０５−１８８０ＭＨｚとを備えている。１８００ＭＨｚの周波数レンジで動作するシステムは、ＤＣＳシステム（デジタルセルラーシステム）と称され、その仕様はＧＳＭ仕様の一部分である。帯域の無線波の伝播特性は異なり、ＤＣＳ周波数では、自由空間減衰がＧＳＭ周波数よりも大きい。その本来の原因は、ＧＳＭ周波数は広範囲のセルをカバーするのに良く適しているが、ＤＣＳ周波数は小さなセルをカバーするのに適していることである。
周波数の相違を除くと、これらシステムは本質的に同様であり、例えば、エアインターフェイスは同じである。現在でも、ＧＳＭネットワークは、幾つかの国々、特に都市エリアにおいて、その容量の上限で高いトラフィック密度で使用され、従って、オペレータに利用できるＧＳＭ帯域周波数はもはや全ての加入者へのサービスを確保するに充分なものではない。チャンネル容量は、周波数帯域を広げることにより、即ちいわゆる拡張ＧＳＭにより増加されているが、決定的なことは、別の周波数帯域を使用し、即ち多帯域動作へと移行することにより更に大きな容量が得られることである。これは、オペレータに使用できるＧＳＭ帯域周波数が全ての加入者へのサービスを確保するのにもはや充分でないような高いトラフィック密度の場所に追加容量を与えものである。
ＧＳＭ及びＤＣＳの両周波数帯域は、個別のネットワークにおいて使用することもできるし、又は共通のネットワーク制御のもとで結合されたネットワークとして使用することもできる。後者の場合には、両周波数帯域で動作することのできる移動ステーションが使用される。このような移動ステーションは、多帯域移動ターミナルと称される。多帯域移動ターミナルは、２つの形式がある。
第１の形式の移動ターミナルは、両帯域に指定された要件を満たし、従って、例えば、各々のネットワークに登録することによりＧＳＭ又はＤＣＳのいずれの帯域で動作することもできる。しかしながら、この形式の移動ステーションは、動作帯域間のハンドオーバー、チャンネル指定、動作帯域間のセル選択又はセル再選択をサポートするものではない。それ故、移動ステーションは、２つ以上の帯域で動作するためのネットワークサポートを必要とせず、その特定帯域のチャンネルのみを使用する。
第２の形式の移動ターミナルは、両帯域のチャンネルを連続的に使用し、ひいては、両帯域に指定された要件を満足するだけでなく、ある付加的な要件も満足する。第１の形式の移動ステーションと比較される付加的な特徴は、動作帯域間でハンドオーバー、チャンネル指定、セル選択及びセル再選択を実行できることである。従って、ネットワークは、これら動作をサポートしなければならない。
この用途については、第２の形式の移動ステーション、即ち両帯域で動作することのできる電話をネットワークがサポートするケースについて説明する。ＧＳＭ及びＤＣＳの両ネットワークの有効到達エリアは、少なくとも部分的に重畳する。
以下、多帯域移動ステーションと称する第２の形式の多帯域移動ターミナルに典型的な特徴は、上記のように、ある周波数帯域から別の周波数帯域へハンドオーバーできることである。ハンドオーバーの基準は、別の帯域のチャンネルの方が良く聞こえること、又はネットワークがある帯域に対するトラフィック負荷を減少する傾向にあることである。ハンドオーバーを良好に実行できるためには、多帯域移動ステーションが隣接帯域の周波数も測定し、そして測定結果をネットワークに送信することができねばならない。
ＧＳＭ仕様によれば、全レートＴＣＨ／Ｆ、半レートＴＣＨ／Ｈ又は更に低いＴＣＨ／８であるトラフィックチャンネルＴＣＨが、常に、低速の関連制御チャンネルＳＡＣＣＨと共に指定される。ＧＳＭの用語では、関連するＳＡＣＣＨチャンネルをもつ低速ＴＣＨ／８をＳＤＣＣＨチャンネル（スタンドアローン専用制御チャンネル）と称する。制御チャンネルは、トラフィックチャンネルの「内側」の経路にあり、例えば、全レートトラフィックチャンネルのマルチフレームは、２６個の次々のフレームの同じタイムスロット番号のタイムスロットを備えている。２６個のタイムスロットのサイクルは、ＴＣＨバースト（スピーチバースト）が送られる２４個のタイムロットと、ＳＡＣＣＨバーストが送られる１つのタイムスロットと、何も送られない１つのタイムスロットとで構成される。移動ステーションは、低速のＳＡＣＣＨ制御チャンネルを使用して、種々の測定結果をベースステーションに送信する。ベースステーションは、電力制御及びタイミングの進みに関連したコマンドを制御チャンネルを経て移動ステーションへ送る。更に、ベースステーションは、ネットワークに関連した一般的な情報、いわゆるｓｙｓｔｅｍ＿ｉｎｆｏメッセージ、例えば、ｓｙｓｔｅｍ＿ｉｎｆｏ  ５及び５ｂｉｓを送信する。この情報は、監視されるべき隣接セル周波数のリストと、ベースステーション識別子ＢＳＩＣと、ＢＣＣＨ周波数情報と、無線接続における擾乱の制御に関連したパラメータ等を含んでいる。現在の仕様によれば、ｓｙｓｔｅｍ＿ｉｎｆｏｓ  ２／５及び２ｂｉｓ／５ｂｉｓは、移動ステーションに隣接セル周波数を通知する。この情報は、各インデックスがある周波数に対応するようなインデックスグループである。又、このインデックスグループは、該グループがＧＳＭ及びＤＣＳの両帯域の周波数を含むので、周波数がどの帯域に属するかを指示する。現在の技術によれば、ＳＡＣＣＨチャンネルに送られるｓｙｓｔｅｍ＿ｉｎｆｏｓは、ＴＲＸに特有のもので、即ち通話に特有のものではなく、ネットワークは、ｓｙｓｔｅｍ＿ｉｎｆｏｓをＳＡＣＣＨ充填メッセージによりＴＲＸに特有なものに変更できることに注意されたい。ＳＡＣＣＨのｓｙｓｔｅｍ＿ｉｎｆｏの送信を通話に特有なものに特定する変更が、現在のＧＳＭ仕様０８．５８に対する共通の改善として示唆されている。
移動ステーション及びベースステーションは、受信信号の強度を測定しなければならず、そして更に、移動ステーションは、ネットワークから受信されて監視されるべき隣接ベースステーションのリストに載せられた隣接ベースステーションのＢＣＣＨ搬送波の強度を測定しなければならない。現在のＧＳＭ仕様によれば、移動ステーションは、最良の可聴性を有する６個の隣接ステーションを報告する。受信信号の質は、ビットエラー比を計算することにより測定される。移動ステーションは、その測定結果をそれ自身のベースステーションへ報告しなければならない。ＧＳＭシステムでは、移動ステーションは、低速の制御チャンネルＳＡＣＣＨを経てそれらを報告する。ＳＡＣＣＨチャンネルが報告以外の目的に使用されない場合には、移動ステーションは、測定結果を１秒に２回報告することができる。ＧＳＭシステムでは、測定及び報告サイクルは、４つのマルチフレーム（１つのマルチフレームは、２６個のトラフィックフレームに等しい）より成り、従って、４８０ｍｓの間隔で結果が送信される。
ネットワークは、それ自身の送信器の電力制御の測定結果だけではなく、移動ステーションの電力制御の測定結果も使用して、移動ステーションにタイミングの進みを与えると共に、ハンドオーバーの目的を果たす。第１に、ハンドオーバー基準は、増加するビットエラー比により指示されるベースステーションと移動ステーションとの間の無線接続の質の低下を含み、第２に、隣接ベースステーションの監視から受け取られる情報であって、隣接ステーションへの無線経路が現在のベースステーションへの経路より良好であることを示す情報を含み、そして第３に、ネットワークにより計算されるトラフィック負荷であって、現在著しく負荷のかかったベースステーションから別のベースステーションへトラフィックを移行することが効果的であることを示すトラフィック負荷を含む。
複数の周波数レンジをもつ結合ネットワークの使用は、単一周波数帯域のネットワークには存在しない周波数測定の問題を伴う。
少なくとも２つの帯域の可聴範囲内で現在の動作帯域の周波数のみが良く聞こえるとき、又は隣接帯域の周波数の方が現在の動作帯域より良く聞こえるときの状況に関連した特別の問題がある。例えば、ＧＳＭ及びＤＣＳシステムの第１のケースについて考える。多帯域移動ステーションが６つの最強の隣接セルについて報告するときには、これら全ての隣接セルのベースステーションが、同じ現在動作帯域の周波数で送信する結果となる。ネットワークが、移動ステーションのトラフィックを別の帯域へ移行することにより帯域のトラフィック負荷を減少しようとする場合には、このケースでは帯域間のハンドオーバーが不可能である。というのは、ネットワークは、他の帯域のチャンネルについての知識がないからである。ＤＣＳ帯域については、これは、必ずしも重大な問題とはならない。というのは、ＧＳＭ帯域よりも多数の周波数が使用されるからである。上記によれば、帯域の周波数が可聴であるときにネットワークが常に両帯域からの測定結果を受け取らねばならないという問題がある。
この問題に対する解決策として、移動ステーションは、それが測定した他の帯域の少なくとも１つの周波数、好ましくは最良の可聴性の周波数において報告することが示唆されている。しかしながら、ネットワークが各々の考えられる状況において他の周波数帯域の報告されるべき周波数の数にいかに影響を与えるかについては示唆されていない。
上記と相補的な別の示唆された解決策は、ＳＡＣＣＨチャンネル上に送信されそしてＧＳＭネットワークから分かる情報メッセージｓｙｓｔｅｍ＿ｉｎｆｏ  ５及び５ｂｉｓの内容を、隣接帯域の報告されるべき周波数の数の粗調整を達成するように選択することである。ネットワークは、例えば、移動ステーションがそのとき動作している同じ帯域上にある周波数を情報メッセージから除去することができる。このように、ハンドオーバーを用いることにより、ネットワークは移動ステーションを別の帯域へ強制的に移動することができる。この解決策の欠点は、情報メッセージを与えるときに、ネットワークは、どの周波数が移動ステーションに最も良く聞こえるか分からないので、隣接帯域の報告されるべき周波数の数を柔軟に調整できないことである。従って、例案された解決策は、１つの特殊な場合にしか適用できない。
更に、現在の仕様に基づき移動ステーションにより報告された６つの最良可聴性の周波数のグループにおいて両方の帯域からの充分な数の周波数をハンドオーバーに対して配することを考慮しなければならない。この場合には、両方の帯域からの周波数情報を得るために特殊な手段が必要とされない。しかしながら、このような状態は、特殊なケースである。
国際特許出願ＰＣＴ−９４／０５１３０は、チャンネルを再構成する方法を開示している。この方法は、２つ以上のチャンネルグループをもつセルラーシステムに適用される。第１のチャンネルグループはＴＤＭＡチャンネルを含み、そして第２のチャンネルグループはＣＤＭＡチャンネルを含む。マルチモード電話は両方のシステムにおいて動作することができる。通話を設定するときには、ネットワークが両方のグループの現在容量を決定する。マルチモード電話には最高の容量をもつグループの周波数にトラフィックチャンネルが指定される。別のチャンネルグループの周波数で動作しているマルチモード電話も、あるグループから別のグループへ引き継がれ、即ちハンドオーバーが行われ、ひいては、単一モード電話に対する空きグループ周波数が生じる。移動ステーションは、干渉が最も少ないチャンネルへ引き継がれるか、又は別のグループのランダムに選択された空きチャンネルへ引き継がれる。
このＰＣＴ出願によれば、ネットワークは、全てのハンドオーバー関連の動作を実行する。このＰＣＴ出願は、マルチモード移動ステーションがどの測定を行うか、又は成功裡なハンドオーバーのためにどの動作が必要とされるか開示していない。
発明の要旨
本発明の目的は、上記欠点を伴わずに２つ以上の周波数レンジを使用する移動通信システムを提供することである。本発明の移動通信システムを適用するために必須なことは、通話に特有な制御情報を送信できることである。従って、両方の帯域からの帯域間でハンドオーバーを行うために必要とされる情報を受信することのできるシステム、特に、接続中に監視されるべき周波数の数を柔軟に変化させることのできるシステムを提供することを目的とする。このシステムは、１つの帯域で動作する移動ステーション、及び２つの帯域で動作するがそれらの間でハンドオーバーを行うことのできない移動ステーションを無欠陥動作できねばならない。従って、好都合な環境は、帯域がＧＳＭ仕様で定義された９００ＭＨｚレンジ帯域及び１８００ＭＨｚレンジ帯域であるＧＳＭシステムである。エアインターフェイスはＧＳＭシステムに合致し、そして通話特有のＳＡＣＣＨ情報がＧＳＭ仕様書０８．５８の変更提案書に記載されたように送信される。
この目的は、現在動作帯域の外側の少なくとも１つの帯域に対し、移動ステーションがその測定レポートにおいて通知すべき周波数測定結果の最少数をネットワークが移動ステーションに知らせることを特徴とする本発明の方法により達成される。数データは絶対的なものであり、従って、測定レポートは、与えられる周波数の厳密な数を含まねばならない。
測定を実行すると、移動ステーションは、現在動作帯域の外側の少なくとも１つの帯域からの最も高い可聴性をもつ周波数に対し、数データに与えられた測定結果の数を測定レポートに入れる。現在動作帯域の最も高い可聴性をもつ周波数に対する測定結果は、測定レポートの他のスペースに入れられる。現在動作帯域の測定結果が残りのスペースより少ない場合には、現在動作帯域の外側の周波数に対する更に多くの測定結果が残りのスペースに入れられる。
本発明をＧＳＭシステムに適用するときには、ネットワークは、トラフィックチャンネルに関連した制御チャンネルＳＡＣＣＨを経て、移動ステーションへ、監視されるべき他の帯域の周波数に関する情報を送信するだけでなく、移動ステーションがいかに多くの監視される隣接帯域周波数を報告すべきかに関する情報も送信する。隣接帯域周波数の測定結果は、監視された周波数が作用中帯域の周波数に比していかに良好に聞き取れるかに関わりなく送信されねばならない。電話は、ネットワークにより与えられる隣接帯域周波数の数をその測定レポートに含ませるように試みる。しかしながら、充分良好な可聴隣接帯域周波数の数が、ネットワークにより与えられた数より少ない場合には、少数の隣接帯域周波数が測定レポートに含まれる。作用中帯域の周波数が可聴性でない場合にも同じことが言え、この場合には、電話が、ネットワークにより与えられた数よりも多数の隣接帯域周波数を測定レポートに含ませることができる。
報告されるべき隣接帯域周波数の数は、一定ではなく、ネットワークが必要に応じてそれを変化させることができる。この数は、例えば、作用中帯域及びその隣接帯域におけるネットワークの現在トラフィック密度、１日の時刻、又は対応する量により影響される。又、この数は、報告されるべき作用中帯域の周波数の最少数に対し、それらが充分に可聴性があるときに、限界を設定する。
【図面の簡単な説明】
以下、添付図面を参照して、ＧＳＭ／ＤＳＣ多帯域動作の好ましい実施形態を詳細に説明する。
図１は、本発明によるデータ送信を含む簡単化された既知の信号図である。
図２は、ｓｙｓ＿ｉｎｆｏ変更メッセージの内容を示す図である。
図３は、Ｓｙｓｔｅｍ＿Ｉｎｆｏ  ５ｂｉｓ／ｔｅｒメッセージの内容を示す図である。
好ましい実施形態の詳細な説明
初期段階において、移動ステーションがネットワークに登録されそしてアイドル状態にあると仮定する。移動ステーションがページングメッセージに応答する（移動着信通話）か又はトラフィックチャンネルを要求した（移動発信通話）後に、移動ステーションにトラフィックチャンネルが指定された後に、信号送信のための通話特有の制御チャンネルＳＡＣＣＨが、ＧＳＭ仕様書０８．５８の変更提案書に記載されたように、指定のトラフィックチャンネルＴＣＨ又はＳＤＣＣＨに接続される。移動ステーションは、アイドルモードから、通話特有の制御チャンネルで信号送信する状態へと移行する。
通話特有の制御チャンネルが使用されるときの既知のメッセージを示す図１を説明する。移動ステーションは、例えば「クラスマーク変更」メッセージを送信することにより多帯域動作をサポートできることをネットワークに知らせる。この既知のメッセージは、移動ステーションに関連した多帯域情報を含む情報ＣＭ３（クラスマーク情報３）を備えている。上記メッセージを受け取ると、ベースステーションコントローラＢＳＣは、それ自体知られたＳＡＣＣＨ  Ｉｎｆｏ＿Ｍｏｄｉｆｙメッセージを用いることにより、この特定の移動ステーションに対して調整されたＳＡＣＣＨ情報を通話特有のＳＡＣＣＨチャンネルに送信するよう判断する。上記メッセージは、移動ステーションに送信されるべきＳｙｓｔｅｍ＿Ｉｎｆｏ５メッセージと、任意に送信されるＳｙｓｔｅｍ＿Ｉｎｆｏ５ｂｉｓ及びＳｙｓｔｅｍ＿Ｉｎｆｏ５ｔｅｒメッセージとを備えている。Ｓｙｓｔｅｍ＿Ｉｎｆｏ５は、必要に応じてＳＡＣＣＨチャンネルに常に送信され、Ｓｙｓｔｅｍ＿Ｉｎｆｏ５ｂｉｓ及びＳｙｓｔｅｍ＿Ｉｎｆｏ５ｔｅｒは、更に、多帯域ステーションへ送られる。
本発明によれば、それ自体知られたこのＳｙｓｔｅｍ＿Ｉｎｆｏ５ｔｅｒメッセージには、移動ステーションがどの隣接帯域周波数を監視すべきか及びいかに多くの周波数をネットワークに報告すべきかに関する情報を含ませるのが効果的である。このメッセージは、移動ステーションの位置セルが別の帯域からの隣接セルを有していない場合には、送信される必要がない。又、このメッセージは、現在動作帯域からの周波数も含むが、この帯域に関する周波数監視情報をメッセージＳｙｓｔｅｍ＿Ｉｎｆｏ５又はＳｙｓｔｅｍ＿Ｉｎｆｏ５ｂｉｓに入れるのが好ましい。
或いは又、Ｓｙｓｔｅｍ＿Ｉｎｆｏ５ｔｅｒメッセージで送られる数データは後で送られてもよい。上記Ｓｙｓｔｅｍ＿Ｉｎｆｏメッセージが送られた後に、移動電話交換機は、それが作動するＢＳＣ（ベースステーションコントローラ）のメッセージ「指定要求」において無線チャンネルを要求し、そしてこのメッセージに対する応答として、ベースステーションコントローラは、「チャンネルアクチベーション」メッセージをベースステーションＢＴＳへ送信する。ＧＳＭ仕様に対する変更提案書に記載された情報エレメント「ＳＡＣＣＨ  Ｉｎｆｏ」がこのアクチベーションメッセージに含まれてもよい。このエレメントがメッセージに追加された場合には、このエレメントのＳｙｓｔｅｍ＿Ｉｎｆｏメッセージがそれ以前の対応するメッセージに置き換わり、トラフィックチャンネルが維持される間にこれが使用される。通信中にＳＡＣＣＨ情報を変更する必要がある場合には、既知のＳＡＣＣＨ  Ｉｎｆｏ＿Ｍｏｄｉｆｙメッセージが使用される。必要に応じて、監視されるべき隣接帯域周波数のリストと、報告されるべき周波数の数が、このメッセージに含まれたＳｙｓｔｅｍ＿Ｉｎｆｏ５ｔｅｒメッセージにおいて変更される。
本発明によれば、データは、少なくとも３つの異なる方法、即ち図１に丸付きの番号１、２及び３で示された段階で移動ステーションへ送信される。
上記において、チャンネル指定に関連したファンクションが与えられる。ＳＡＣＣＨチャンネルは、ハンドオーバーの後に調整することもできる。ベースステーションコントローラＢＳＣにより制御されるハンドオーバーにおいては、指定要求メッセージがアドレスされた同じベースステーションが、新たなトラフィックチャンネルをアクチベートすると共に、例えば、チャンネルアクチベーションメッセージ又はＳＡＣＣＨ  Ｍｏｄｅ＿ＭｏｄｉｆｙによりＳＡＣＣＨを調整する。移動電話交換機により制御されるハンドオーバーにおいては、それ自体知られた「ハンドオーバー要求」メッセージにＣＭ３（クラスマーク情報３）が含まれ、移動電話交換機はこれをベースステーションコントローラへ送信し、移動ステーションの移行を制御する。その後、ベースステーションコントローラは、チャンネルアクチベーションメッセージにＳＡＣＨＨ＿Ｉｎｆｏフィールドを含んでもよいし、又はチャンネルを最初にアクチベートしそしてＳＡＣＣＨの内容をＳＡＣＣＨ＿Ｍｏｄｉｆｙメッセージによって変更してもよい。
図２は、既知の専用のＳＡＣＣＨ＿Ｉｎｆｏ＿Ｍｏｄｉｆｙメッセージのフィールドを示している。フィールド「メッセージセパレータ」、「信号タイプ」、「チャンネル番号」及び「Ｓｙｓｔｅｍ＿Ｉｎｆｏタイプ」は、必須であるが、実際のｓｙｓｔｅｍ＿ｉｎｆｏを含むフィールド及び「スタートタイム」フィールドは、任意である。後者のフィールドは、次のデータ送信がいつ開始するかそしていつ終了するかを示す。
図３は、本発明によるデータ送信のためのスペースをもつ考えられるＳｙｓｔｅｍ＿Ｉｎｆｏｍａｔｉｏｎ  ５ｔｅｒメッセージの内容を示す。このメッセージは、「拡張されたＢＣＣＨ周波数リスト」フィールドを含み、このリストは、移動ステーションが監視しなければならない周波数のインデックスを含む。このリストに与えられた周波数は、ＧＳＭ及びＤＣＳの両帯域の周波数である。又、このメッセージは、半オクテット長さのフィールド「報告されるべき隣接帯域の周波数の数」も含み、これには、以下に述べるように移動ステーションの報告を制御するビットが入れられる。このフィールドは、既知の５ｔｅｒメッセージにおける「スキップインジケータ」フィールドに置き換わるものである。
例えば、２つのビットを用いて４つの状態を表すことができ、ビット００は、報告されるべき６つの周波数の中の１つの隣接帯域周波数でなければならないことを示し、ビット０１は、２つの隣接帯域周波数が報告されることを必要とし、ビット１０は、その３つを必要とし、そして対応的に、ビット１１は、４つの隣接帯域周波数が報告されることを示す。
例えば、多帯域移動ステーションは、ＳＡＣＣＨメッセージ「Ｓｙｓｔｅｍ＿Ｉｎｆｏｍａｔｉｏｎ  ５ｔｅｒ」のフィールド「拡張されたＢＣＣＨ周波数リスト」における専用チャンネルを経て、例えば、２０周波数の周波数リストを受け取っていると仮定する。これら周波数は、作用中帯域及びその隣接帯域の両方からのものである。更に、指定のＴＣＨチャンネルは、ＧＳＭシステムの９００ＭＨｚ帯域に属し、そして周波数リストにおける周波数のインデックス１−１０は、この帯域の周波数であると共に、周波数インデックス１０１−１１０は、ＧＳＭ１８００ＭＨｚ帯域（ＤＣＳ帯域）の周波数であると仮定する。移動ステーションは、各インデックスがどの帯域に属するかを知ると共に、どの周波数がインデックスに対応するか知り、従って、全ての所与の周波数を測定することができる。測定された信号強度は、次のように最も強い強度から最も弱い強度までの順序となる。
１、２、３、４、５、１０１、６、７、８、９、１０、１０２、１０３、１０４、１０５、１０６、１０７、１０８、１０９、１１０
公知の構成においては、移動ステーションは、アップリンクＳＡＣＣＨチャンネルを経てベースステーションに６つの最良の可聴周波数、即ち周波数１、２、３、４、５、１０１を報告し、これらは、周波数１０１を除くと、全てＧＳＭ帯域周波数である。隣接ＤＣＳ帯域の周波数情報は、帯域間のハンドオーバーには不充分であり過ぎる。
本発明によれば、ｓｙｓｔｅｍ＿ｉｎｆｏ  ５ｔｅｒメッセージのフィールド「報告されるべき隣接帯域周波数の数」は、移動ステーションが報告しなければならない隣接帯域周波数の数についての情報を含む。与えられた情報が、３つの隣接帯域周波数についての報告を必要とする場合には、報告されるべき６つの周波数のリストが次のようになる。
１、２、３、１０１、１０２、１０３
この周波数情報は、帯域間のハンドオーバーに充分である。
ネットワークが通信中に報告されるべき隣接帯域周波数の数を変更しようとする場合には、ベースステーションは、新たなｓｙｓｔｅｍ＿ｉｎｆｏ  ５ｔｅｒを移動ステーションへ送信しなければならない。このために、ベースステーションコントローラは、図１のそれ自体知られた「ＳＡＣＣＨ＿Ｉｎｆｏ＿Ｍｏｄｉｆｙ」メッセージをベースステーションへ送信する。このメッセージにおいて、ベースステーションコントローラは、制御チャンネルに送られる情報が変更されること、より正確には、どのＳｙｓｔｅｍ＿Ｉｎｆｏメッセージが送信されねばならないかをベースステーションに通知する。ベースステーションコントローラは、送信されるべき「Ｓｙｓｔｅｍ＿Ｉｎｆｏｍａｔｉｏｎ  ５ｔｅｒ」メッセージを変更し、従って、フィールド「報告されるべき隣接帯域周波数の数」に表示されるべき隣接帯域周波数の数に関する情報が変更される。
上記情報は、移動ステーションが、例えば、５つの隣接帯域周波数について報告することを必要とし、この場合に、報告されるべき周波数のリストは、次のようになる。
１、１０１、１０２、１０３、１０４、１０５
本発明のように、周波数の強度を測定し、報告されるべき周波数を通知しそして選択すると、移動ステーションは、それらを既知のやり方でアップリンク制御チャンネルＳＡＣＣＨを経て送られる測定レポートにおいてネットワークへ通知する。レポートの内容は、ＧＳＭ仕様書０４．０８に記載されている。
上記のように、ネットワークは、移動ステーションがいかに多くの隣接帯域周波数を報告しなければならないかに関する変更可能な情報を専用制御チャンネルＳＡＣＣＨに送信する。変更可能であるために、報告されるべき隣接帯域周波数の数は、いつでも柔軟に調整することができ、例えば、トラフィック密度、１日の時刻、又は別の量に基づいて特定のエリアにおいて調整することができる。
上記の手順は、ｓｙｓｔｅｍ＿ｉｎｆｏ  ５、５ｂｉｓ及び５ｔｅｒメッセージにおいて移動ステーションへ通知される監視されるべき周波数の数を制限しないので有利なものであり、それ故、移動ステーションは、各瞬間に最良の可聴性をもつ周波数を両方の帯域から独立して選択することができる。このように、ネットワークは、両方の周波数帯域において情報を受け取り、そして移動ステーションを必要に応じて別の帯域へ移行させる。
上記のケースにおいては、報告されるべき隣接帯域周波数の数に関する情報がＳｙｓｔｅｍ＿Ｉｎｆｏメッセージの既存のフィールドに入れられる。新たなフィールドは、数データを送信するためにメッセージに等しく良好に追加することができる。又、数データを移動ステーションに送信するために制御チャンネルを経て送信されるべき完全に新しいＳｙｓｔｅｍ−Ｉｎｆｏ型のメッセージを形成することもできる。
ネットワークに設定される要件は、他の帯域の周波数が最良の可聴性をもたないが充分に聞こえるときに移動ステーションからのレポートに基づいて必要に応じて帯域間のハンドオーバーを実行できることである。これは、ハンドオーバーアルゴリズムに特殊な要件を課する。
本発明の効果は、ｓｙｓｔｅｍ＿ｉｎｆｏ  ５ｔｅｒメッセージ及びそこに含まれた報告されるべき隣接帯域周波数の数が多帯域移動ステーションのみに送信され、従って、片方の帯域で動作する移動ステーションとの適合性の問題を引き起こさないことである。
本発明の好ましい実施形態においては、無線システムが、時分割多重アクセス（ＴＤＭＡ）システムである。しかしながら、本発明は、コード分割多重アクセス（ＣＤＭＡ）又は周波数分割多重アクセス（ＦＤＭＡ）のような他の多重アクセス方法にも適用できる。
上記説明及び添付図面は、本発明を単に一例として述べたものに過ぎない。請求の範囲に記載された本発明の精神及び範囲から逸脱せずに、種々の変更や修正がなされ得ることが当業者に理解されよう。
【図１】
0003752511.tif 000002
【図２】
0003752511.tif 000003
【図３】
0003752511.tif 000004